(57)【要約】      （修正有）【課題】精油を溶存させたアルコール溶液等を入れた水中花用容器に、燭台部材に取り付けた灯芯を垂下させ、灯芯に着火して精油中の芳香性物質から芳香を放つ仏具において、芳香を持続的に放つことができる仏具を提供する。【解決手段】水中花用容器１の開口に嵌め込む内周面に雌ネジ部２ａを設けた穴あき栓体２と、アルコール又はパラフィン溶液に浸漬させる着火芯３ａに金属製のスリーブ４を被せると共に該スリーブを外側の灯芯３ｂで被覆した二重構造の灯芯３と、スリーブの壁面を切欠いて着火芯に弾接する爪片を形成すると共に、穴あき栓体に設けた雌ネジ部に螺合する雄ネジ部５ａを外周面に設けた燭台部材５を水中花用容器の鍔縁に取り付けて構成する。【選択図】図１
0003153917.tif 000002
【実用新案登録請求の範囲】
【請求項１】
精油が溶存するアルコール又はパラフィン溶液に生花又はドライフラワーを入れる鍔縁付き水中花用容器と、該水中花用容器の開口に嵌め込む内周面に雌ネジ部を設けた穴あき栓体と、アルコール又はパラフィン溶液に浸漬させる着火芯に金属製のスリーブを被せると共に該スリーブを外側の灯芯で被覆した二重構造の灯芯と、穴あき栓体に設けた雌ネジ部に螺合する雄ネジ部を外周面に設けた燭台部材を水中花用容器の鍔縁に取り付け、燭台部材の外縁に沿って立設した立上がり壁に風除け円筒体を嵌め込んで成る仏具。
【請求項２】
スリーブの壁面を切欠いて着火芯に弾接する爪片を形成した請求項１記載の仏具。
【考案の詳細な説明】
【技術分野】
【０００１】
本考案は芳香のついたアルコール又はパラフィン溶液に生花又はドライフラワーを入れる水中花用容器と、該容器に浸漬されてアルコール又はパラフィンを含浸する灯芯に着火し点灯する燭台部と、アルコール又はパラフィンの燃焼でアルコール又はパラフィン溶液に溶解している芳香物質を有する精油を揮発させ芳香を放つ仏具であり、出願人が先に提出している実願2009−2281に係る改良考案である。
【背景技術】
【０００２】
一般に芳香のついたアルコールは精油を溶存させたアルコールであり、精油は植物に含まれ、揮発性の芳香物質を含む有機化合物である。
【０００３】
水中花は生花でありアルコール液中で長期保存が可能である。
【０００４】
アルコールに溶存する精油中の芳香液を吸液可能な素材で形成されている特殊構造の灯芯に着火すると精油中の芳香物質が揮発して芳香を放つ。
【０００５】
また、芳香器等を記載した特許文献としては以下のようなものがある。すなわち、バーナを安定して支持することができ、長時間継続して芳香液を蒸散することが可能な芳香器がある（例えば特許文献１・図１）。アルコールに溶存する精油中の芳香液を吸液可能な素材で形成されている特殊構造の灯芯を用いている芳香器がある（例えば特許文献１・段落０００８）。生花を美麗に飾ることができ、同時に生花を長持ちさせる水中花の容器として、容器の下端の開口部を閉塞する蓋体に、周囲をカバーで囲んだ剣山を一体に構成した水中花の容器がある（例えば特許文献２・図１）。
【０００６】
また、前記の実願２００９−２２８１に係る仏具の考案は、精油が溶存するアルコール又はパラフィン溶液に浸漬している灯心を孔空き燭台部に挿通しているが、灯心が該孔空き壁面に殆ど隙間なく挿通されているため灯心に含浸している精油中の芳香性物質が燃焼熱で蒸発してしまい芳香が消滅するという現象が見られた（特許文献３）。
【先行技術文献】
【特許文献】
【０００７】
【特許文献１】特開２００３-１９０２６８号公報
【特許文献２】特開２００５-２４０２０１号公報
【特許文献３】実願２００９−２２８１に係る仏具の考案
【考案の概要】
【考案が解決しようとする課題】
【０００８】
特開２００３-１９０２６８号公報に係る芳香器のバーナは、芳香液を長時間にわたり蒸散させることを目的とするものであり、そのためバーナに着火しアルコール成分を含む芳香液をアルコールランプと同様の原理で燃焼させ、バーナを高温にした後に火を消すとバーナに塗布した白金等の触媒作用でバーナが高温状態で維持され、灯芯に含浸された芳香液を、毛細管現象によつてバーナに吸い上げ室内へ芳香液を放散させるものであり、バーナ着火による灯明としての使用はしない。即ち灯芯の芯端部は外キャップの上壁に接近した位置にあり、外キャップの上壁に設けている小孔から芳香成分を外部へ放散させる構造である。
【０００９】
特開２００５-２４０２０１号公報に係る水中花の容器は、生花を美麗に飾ると共に生花を長持ちさせることを目的とするものであり、容器の内部に水を充填すると共に容器の下部に蓋体を取り付けて水の漏洩を防ぎ且つ容器を密閉し、蓋体の中央に剣山を固定する構造であり、生花が外気に触れず長期にわたる自然状態が維持できるが、時折に水を交換することを要し、アルコール漬けの生花のような永久保存はできない。
【００１０】
実願２００９−２２８１に係る考案は、精油が溶存するアルコール又はパラフィン溶液に浸漬している灯心を孔空き燭台部に挿通しているが、灯心が該孔空き壁面に殆ど隙間なく挿通されているため灯心に含浸している精油中の芳香物質が燃焼熱で蒸発し散逸するため芳香を持続的に揮発し難い。
【課題を解決するための手段】
【００１１】
精油が溶存するアルコール又はパラフィン溶液に生花又はドライフラワーを入れる鍔縁付き水中花用容器と、該水中花用容器の開口に嵌め込む内周面に雌ネジ部を設けた穴あき栓体と、アルコール又はパラフィン溶液に浸漬させる着火芯に金属製のスリーブを被せると共に該スリーブを外側の灯芯で被覆した二重構造の灯芯と、スリーブの壁面を切欠いて着火芯に弾接する爪片を形成すると共に、穴あき栓体に設けた雌ネジ部に螺合する雄ネジ部を外周面に設けた燭台部材を水中花用容器の鍔縁に取り付け、燭台部材の外縁に沿って立設した立上がり壁に風除け円筒体を嵌め込み、着火芯に含浸しているアルコール又はパラフィン溶液の燃焼で明りを灯すと共にスリーブに被せた外側の灯心に含まれている精油成分の芳香性物質を着火芯の燃焼熱で持続的に揮発させ、美麗な生花又はドライフラワーと、仄かに揺らぐ灯火と、二重構造の灯芯から放つ芳香を室内へ漂わせる仏具を提供することを目的とする。
【考案の効果】
【００１２】
燭台部に二重構造の灯芯をスリーブを中間に介挿して挿通しているため着火芯の燃焼熱で外側の灯芯に含浸している精油成分の芳香性物質をスリーブから伝わる燃焼熱で持続的に揮発させ、又、水中花用容器から風防用筒体及び燭台部を取り外してアルコール又はパラフィン溶液の補給と、生花又はドライフラワーの交換を簡単に行うことができる。
【図面の簡単な説明】
【００１３】
【図１】本考案を示す中央部縦断面図。
【図２】本考案に係る容器本体と、容器の開口に嵌め込む穴あき栓体を示す一部破断正面図。
【図３】本考案に係る風防用筒体を示す斜視図。
【図４】本考案に係る燭台部を示す要部正面図。
【図５】図１におけるＸ−Ｘ断面図。
【図６】本考案に係るスリーブを示す一部切断正面図。
【図７】図６におけるＡ矢視部の拡大斜視図。
【考案を実施するための形態】
【００１４】
精油が溶存するアルコール又はパラフィン溶液に生花又はドライフラワーを入れる鍔縁付き水中花用容器１と、該水中花用容器１の開口に嵌め込む内周面に雌ネジ２ａを設けた穴あき栓体２と、アルコール又はパラフィン溶液に浸漬させる着火芯３ａに金属製のスリーブ４を被せると共に該スリーブ４を外側の灯芯３ｂで被覆した二重構造の灯芯３と、スリーブ４の壁面の一部を切欠いて着火芯３ａに弾接する爪片４ａを形成すると共に穴あき栓体２に設けた雌ネジ部２ａに螺合する雄ネジ部５ａを燭台部材５の下部外周面に設け、且つ燭台部５の中央部に水中花用容器１の鍔縁１ａに載置する鍔部５ｂと、鍔部５ｂの外縁に沿って立上がり壁５ｃと、鍔部５ｂの中央部に円錐形突部５ｄをそれぞれ一体的に形成すると共に、鍔部５ｂの外周縁部に載置する風除け円筒体６を形成し、突部５ｄと雄ネジ５ａの中心部を貫通する竪穴５ｅを設け、二重構造の灯芯３を竪穴５ｅに挿通し、灯芯３の下部をアルコール又はパラフィン溶液を入れた水中花用容器１内に垂下させ、穴あき栓体２の外周と水中花用容器２の首部内周との間にＯリング７を水密に嵌め込み、円錐形突部５ｄから少し露出させた着火芯３ａに着火してアルコール又はパラフィン溶液の燃焼で火を灯すと共に、着火芯３ａの燃焼熱をスリーブ４を経て外側の灯芯３ｂに伝導し、外側の灯心３ｂの加熱でアルコール又はパラフィン溶液に含まれている精油成分の芳香性物質を竪穴５ｅと円錐形突部５ｄの間の隙間から持続的に揮発させ室内へ放出するのである。
【産業上の利用可能性】
【００１５】
本考案は供花用の水中花用容器１と、灯明を灯すと共に芳香を放出する燭台部材５をコンパクトに一体化しているため、仏壇のスペースが狭くても体裁よく纏めて飾ることができ需要を喚起できる。
【符号の説明】
【００１６】
１  水中花用容器    ２  穴あき栓体    ２a 雌ネジ部    ３    灯芯  ３ａ    着火芯
３ｂ    外側の灯芯    ４    金属製スリーブ    ５  燭台部材    ５ａ    雄ネジ部
５ｄ  円錐形突部    ５ｅ  竪穴６  風除け円筒体
【図１】
0003153917.tif 000003
【図２】
0003153917.tif 000004
【図３】
0003153917.tif 000005
【図４】
0003153917.tif 000006
【図５】
0003153917.tif 000007
【図６】
0003153917.tif 000008
【図７】
0003153917.tif 000009